【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
長波長赤外光に対する窓の放射率を低下させる装置であって、
伝導材料より成る複数の薄い伝導材料エレメントと複数のボイド部との配列を成すパターンを有するように形成された伝導材料フィルムを含み、
前記複数の薄い伝導材料エレメントは、前記伝導材料フィルムが、長波長赤外光に対して高反射性を有するとともに、可視・近赤外光に対して高透過性を有するように、互いに距離を隔てて配置された装置。
【請求項２】
前記パターンは、グリッドまたは格子を含む請求項１に記載の装置。
【請求項３】
前記パターンは、前記格子を含み、その格子は、さらに、ポラライザとして機能するように構成されるかまたは液晶アライメント層として機能するように構成された請求項２に記載の装置。
【請求項４】
前記伝導材料フィルムは、前記窓のガラス板の表面上における被膜を含む請求項１に記載の装置。
【請求項５】
ａ）前記複数の薄い伝導材料エレメントが、１ナノメートル以上の幅を有することと、
ｂ）前記複数の薄い伝導材料エレメント間の前記距離が、約２０ミクロンより小さく、約０．１ミクロンより大きいことと、
ｃ）前記複数の薄い伝導材料エレメントが、金属製または金属酸化物製のワイヤメッシュを含むことと、
ｄ）前記複数の薄い伝導材料エレメントが、複数のワイヤセグメントが擬似的にランダムに分散したものを含むことと、
ｅ）前記複数の薄い伝導材料エレメントが、伝導性酸化物製の複数のストリップを含むとともに、前記パターンが、誘電体ミラーを形成するために、交互に並んだ複数の層を成すように構成された前記複数のストリップの配列を含むことと、
ｆ）前記複数の薄い伝導材料エレメント間の前記距離が、不均一であることとのうちの少なくとも一つを採用する請求項１に記載の装置。
【請求項６】
さらに、前記伝導材料フィルムを被覆する薄層誘電体を含み、
その薄層誘電体は、可視放射線、赤外放射線および長波長赤外（黒体）放射線の各々に対して透過性を有するか、または長波長赤外（黒体）放射線に対して不透過性を有し、
その薄層誘電体の厚さは、その薄層誘電体における前記長波長赤外（黒体）放射線の消失距離より小さい請求項１に記載の装置。
【請求項７】
前記パターンは、前記格子を含み、
当該装置は、さらに、前記伝導材料より成る別のフィルムを含み、
その別のフィルムのパターンは、別の格子を含み、
それら２つの格子は、互いに直角に並んでいる請求項２に記載の装置。
【請求項８】
さらに、前記伝導材料の前記２枚のフィルムの間に配置されたデポラライザを含み、
前記２つの格子は、可視放射線、近赤外放射線および長波長赤外（黒体）放射線を偏光させ、
前記デポラライザは、前記長波長赤外（黒体）放射線の偏光状態を変化させることなく、前記可視放射線および前記近赤外放射線の偏光ベクトルを回転させる請求項７に記載の装置。
【請求項９】
低放射窓であって、
ガラス板と、
そのガラス板上に形成された、請求項１ないし８のいずれかに記載の装置と
を含む低放射窓。
【請求項１０】
低放射窓であって、
ガラス板と、
そのガラス板上に支持された複数のナノスケール伝導性ワイヤのグリッドと
を含み、
前記複数のナノスケール伝導性ワイヤは、前記グリッドが、長波長赤外光に対して高反射性を有するとともに、可視近赤外光に対して高透過性を有するように、互いに距離を隔てて配置された窓。
【請求項１１】
さらに、前記複数のナノスケール伝導性ワイヤを被覆する薄層誘電体を含み、
その薄層誘電体は、長波長赤外（黒体）放射線に対して不透過性を有し、
前記薄層誘電体の厚さは、その薄層誘電体における前記長波長赤外（黒体）放射線の消失距離より小さい請求項１０に記載の低放射窓。
【手続補正２】
【補正対象書類名】明細書
【補正対象項目名】００１６
【補正方法】変更
【補正の内容】
【００１６】
本発明によって下記の各態様が得られる。
（１）  長波長赤外光に対する窓の放射率を低下させる装置であって、
伝導材料より成る複数の薄い伝導材料エレメントと複数のボイド部との配列を成すパターンを有するように形成された伝導材料フィルムを含み、
前記複数の薄い伝導材料エレメントは、前記伝導材料が、長波長赤外光に対して高反射性を有するとともに、可視・近赤外光に対して高透過性を有するように、互いに距離を隔てて配置された装置。
（２）  前記パターンは、グリッドを含む（１）項に記載の装置。
（３）  前記パターンは、格子を含む（１）項に記載の装置。
（４）  前記格子は、さらに、ポラライザとして機能するように構成された（３）項に記載の装置。
（５） 前記格子は、さらに、液晶アライメント層として機能するように構成された（３）項に記載の装置。
（６）  前記フィルムは、前記窓のガラス板の表面上における被膜を含む（１）項に記載の装置。
（７）  前記複数の薄い伝導材料エレメントは、１ナノメートル以上の幅を有する（１）項に記載の装置。
（８） 前記複数の薄い伝導材料エレメント間の前記距離は、約２０ミクロンより小さく、約０．１ミクロンより大きい（１）項に記載の装置。
（９）  前記伝導材料は、金属製または金属酸化物製のワイヤメッシュを含む（１）項に記載の装置。
（１０）  前記複数の伝導材料エレメントは、複数のワイヤセグメントが擬似的にランダムに分散したものを含む（１）項に記載の装置。
（１１）  前記複数の薄い伝導材料エレメントは、さらに、伝導性酸化物製の複数のストリップを含み、
前記パターンは、誘電体ミラーを形成するために、交互に並んだ複数の層を成すように構成された前記複数のストリップの配列を含む（１）項に記載の装置。
（１２）  前記複数の薄い伝導材料エレメント間の前記距離は、不均一である（１）項に記載の装置。
（１３）  さらに、前記伝導材料を被覆する薄層誘電体を含み、
その薄層誘電体は、可視放射線、赤外放射線および長波長赤外（黒体）放射線の各々に対して透過性を有する（１）項に記載の装置。
（１４）  さらに、前記伝導材料を被覆する薄層誘電体を含み、
その薄層誘電体は、長波長赤外（黒体）放射線に対して不透過性を有し、
前記薄層誘電体の厚さは、前記誘電体における前記長波長赤外（黒体）放射線の消失距離より小さい（１）項に記載の装置。
（１５） さらに、前記伝導材料より成る別のフィルムを含み、
その別のフィルムの前記パターンは、別の格子を含み、
それら２つの格子は、互いに直角に並んでいる（３）項に記載の装置。
（１６）  さらに、前記伝導材料の前記２枚のフィルムの間に配置されたデポラライザを含み、
前記２つの格子は、可視放射線、近赤外放射線および長波長赤外（黒体）放射線を偏光し、
前記デポラライザは、前記長波長赤外（黒体）放射線の偏光状態を変化させることなく、前記可視放射線および前記近赤外放射線の偏光ベクトルを回転させる（１５）項に記載の装置。
（１７）  低放射窓であって、
ガラス板と、
複数の薄い伝導材料エレメントと複数のボイド部との配列を成すパターンを有するように形成された伝導材料フィルムと
を含み、
前記複数の薄い伝導材料エレメントは、前記伝導材料が、長波長赤外光に対して高反射性を有するとともに、可視近赤外光に対して高透過性を有するように、互いに距離を隔てて配置された窓。
（１８）  前記パターンは、グリッドを含む（１７）項に記載の低放射窓。
（１９）  前記パターンは、格子を含む（１７）項に記載の低放射窓。
（２０）  前記格子は、さらに、ポラライザとして機能するように構成された（１９）項に記載の低放射窓。
（２１）  前記格子は、さらに、液晶アライメント層として機能するように構成された（１９）項に記載の低放射窓。
（２２）  前記フィルムは、当該窓のガラス板の表面上における被膜を含む（１７）項に記載の低放射窓。
（２３）  前記薄い伝導材料エレメントは、１ナノメートル以上の幅を有する（１７）項に記載の低放射窓。
（２４）  前記複数の薄い伝導材料エレメント間の前記距離は、約２０ミクロンより小さく、約０．１ミクロンより大きい（１７）項に記載の低放射窓。
（２５）  前記伝導材料は、金属製または金属製酸化物製のワイヤメッシュを含む（１７）項に記載の低放射窓。
（２６）  前記複数の薄い伝導材料エレメントは、複数のワイヤセグメントが擬似的にランダムに分散したものを含む（１７）項に記載の低放射窓。
（２７）  前記複数の薄い伝導材料エレメントは、さらに、伝導性酸化物製の複数のストリップを含み、
前記パターンは、誘電体ミラーを形成するために、交互に並んだ複数の層を成すように構成された前記複数のストリップの配列を含む（１７）項に記載の低放射窓。
（２８）  前記複数の薄い伝導材料エレメント間の前記距離は、不均一である（１７）項に記載の低放射窓。
（２９）  さらに、前記伝導材料を被覆する薄層誘電体を含み、
その薄層誘電体は、可視放射線、赤外放射線および長波長赤外（黒体）放射線の各々に対して透過性を有する（１７）項に記載の低放射窓。
（３０）  さらに、前記伝導材料を被覆する薄層誘電体を含み、
その薄層誘電体は、長波長赤外（黒体）放射線に対して不透過性を有し、
前記薄層誘電体の厚さは、前記誘電体における前記長波長赤外（黒体）放射線の消失距離より非常に小さい（１７）項に記載の低放射窓。
（３１）  さらに、前記伝導材料よりなる別のフィルムを含み、
その別のフィルムの前記パターンは、別の格子を含み、
それら２つの格子が、互いに直角に並んでいる（１９）項に記載の低放射窓。
（３２）  さらに、前記伝導材料の前記２枚のフィルムの間に配置されたデポラライザを含み、
前記２つの格子は、可視放射線、近赤外放射線および長波長赤外（黒体）放射線を偏光し、
前記デポラライザは、前記長波長赤外（黒体）放射線の偏光状態を変化させることなく、前記可視放射線および前記近赤外放射線の偏光ベクトルを回転させる（３１）項に記載の低放射窓。
（３３）  低放射窓であって、
ガラス板と、
そのガラス板上に支持された複数のナノスケール伝導性ワイヤのグリッドと
を含み、
前記複数のナノスケール伝導性ワイヤは、前記グリッドが、長波長赤外光に対して高反射性を有するとともに、可視近赤外光に対して高透過性を有するように、互いに距離を隔てて配置された窓。
（３４）  さらに、前記複数のナノスケール伝導性ワイヤを被覆する薄層誘電体を含み、
その薄層誘電体は、長波長赤外（黒体）放射線に対して不透過性を有し、
前記薄層誘電体の厚さは、前記誘電体における前記長波長赤外（黒体）放射線の消失距離より非常に小さい（３３）項に記載の低放射窓。
本発明の他の特徴、詳細、実用性および効果は、添付した図面において図示されるとともに後続するクレームにおいて定義されているように、本発明の種々の実施形態についての、後述の、より具体的な文章による説明から明らかとなるであろう。